(57)【特許請求の範囲】
【請求項１】
空気調和機の室内ユニットにホースを取り付けるホース取り付け装置であって、前記室内ユニットには受け具と前記受け具と嵌合する取付固定バンドを備え、前記取付固定バンドの開時には略Ｃ形状、かつ、閉時には略円筒状をなし、前記取付固定バンドの円筒形状時の円筒端部の内方にはフランジ部５ｅを設けるとともに、前記取付固定バンドの閉時において前記フランジ部５ｅがホースの外周に嵌合し、前記固定バンドに設けた単数または複数のフックと、前記受け具に設けたフック受け部とを係合することによって室内ユニットにホースを取り付けることを特徴とするホースの取付装置。
【請求項２】
取付固定バンドの外周にネジ穴を設けた複数のネジ用フランジを設け、前記取付固定バンドの閉時には、前記複数のネジ用フランジ部のネジ穴が互いに重なり合うように設けたことを特徴とする請求項１記載のホースの取付装置。
【請求項３】
受け具の外周に第１のリブを設け、前記第１のリブにネジ用フランジ部を当接させて円周方向の回転を規制して位置決めをすることを特徴とする請求項１または２記載のホースの取付装置。
【請求項４】
前記第１のリブは取付固定バンドの外周部に当接させ、前記取付固定バンドを閉じる方向に押さえる事を特徴とする請求項１から３のいずれか１項に記載のホースの取付装置。
【請求項５】
前記取付固定バンドの外周部には、軸方向に略平行に溝部を一箇所以上設け、受け具には前記溝部に嵌着する第２のリブを設けたことを特徴とする請求項１から４のいずれか１項に記載のホースの取付装置。
【請求項６】
前記溝部の肉厚はその他の部位に比べて薄肉となっていることを特徴とする請求項５記載のホースの取付装置。
【発明の詳細な説明】
【技術分野】
【０００１】
本発明は、空気調和機の室内ユニットに接続されるホースの取付装置に関するものである。
【背景技術】
【０００２】
従来この種のホースの取付装置は、例えば換気機能付き空気調和機の室内ユニットに熱交換器、送風ファン、及び換気ファン等を具備した換気ユニットを備え、前記換気ユニットは室内ユニットの側面部に載置されており、アダプター（以下バンド）と円形状のエルボを用いて排気経路の方向を変更する構成とその先に円形ホースを接続した構成のものがあった。
【０００３】
上記発明の構成においては、室内ユニットから室内空気を搬送するためにファンの排気口に換気ホースを連結する為のバンドを用いてビス止めされる事例が開示されている（例えば、特許文献１参照）。
【特許文献１】特開２０００−１７１０５４号公報
【発明の開示】
【発明が解決しようとする課題】
【０００４】
しかしながら、前記従来の構成では、ホース端部近傍に設けたフランジ様の部分にビス穴を設け、前記ビス穴にビスを貫通させ室内ユニットに共締めすることで室内ユニットを固定しており、室内ユニット側面に換気ファンが配置され換気ダクト口部と室内ユニット本体出口が近接し、且つ室内ユニット本体出口開口部が十二分に確保できない場合においてはホース施工工事の難易度が高く、工数がかかる問題を抱えている。
【０００５】
本発明は、上記従来の課題を解決し、室内空気送出ホースの施工工事の容易化と簡単施工が出来る構成にした換気機能付き空気調和機の提供を目的とする。
【課題を解決するための手段】
【０００６】
前記従来の課題を解決するために、本発明のホースの取付装置は、空気調和機の室内ユニットにホースを取り付けるホース取り付け装置であって、室内ユニットには受け具と受け具と嵌合する取付固定バンドを備え、取付固定バンドの開時には略Ｃ形状、かつ、閉時には略円筒状をなし、取付固定バンドの円筒形状時の円筒端部の内方にはフランジ部５ｅを設けるとともに、取付固定バンドの閉時においてフランジ部５ｅがホースの外周に嵌合し、固定バンドに設けた単数または複数のフックと、受け具に設けたフック受け部とを係合することによって室内ユニットにホースを取り付けることを特徴とするものである。
【発明の効果】
【０００７】
本発明のホースの取付装置は、室内ユニットから室内空気を屋外に排出するホース配管を簡単に室内ユニットに接続固定することができ、施工性の向上が実現できる。
【発明を実施するための最良の形態】
【０００８】
第１の発明は、空気調和機の室内ユニットにホースを取り付けるホース取り付け装置であって、室内ユニットには受け具と受け具と嵌合する取付固定バンドを備え、取付固定バンドの開時には略Ｃ形状、かつ、閉時には略円筒状をなし、取付固定バンドの円筒形状時の円筒端部の内方にはフランジ部５ｅを設けるとともに、取付固定バンドの閉時においてフランジ部５ｅがホースの外周に嵌合し、固定バンドに設けた単数または複数のフックと
、受け具に設けたフック受け部とを係合することによって室内ユニットにホースを取り付けることにより、ホースを換気ダクト部に容易に取付ける事ができ、施工性を向上する事ができ、また取付固定バンドをワンタッチで受け具に接続することができるので、施工性を向上する事ができる。
【０００９】
第２の発明のホース取付装置は、特に第１の発明において、取付固定バンドの外周にネジ穴を設けた複数のネジ用フランジを設け、取付固定バンドの閉時には、複数のネジ用フランジ部のネジ穴が互いに重なり合うように設けたことにより、ホースに取付固定バンドを固定した際にネジ穴が相互に重なり、容易にネジを貫通させる事ができるので、施工性を向上する事ができる。
【００１０】
第３の発明のホース取付装置は、特に第１または第２の発明において、受け具の外周に第１のリブを設け、第１のリブにネジ用フランジ部を当接させて円周方向の回転を規制して位置決めをすることにより、受け具に対する取付固定バンドの相対位置を簡単に決定する事ができるので、施工性を向上する事ができる。
【００１１】
第４の発明のホース取付装置は、特に第１から第３の発明において、第１のリブは取付固定バンドの外周部に当接させ、取付固定バンドを閉じる方向に押さえることにより、取付固定バンドを受け具にビス止めする際に、取付固定バンドが不用意に開いてしまわないようにでき、施工性を向上する事ができる。
【００１２】
第５の発明のホース取付装置は、特に第１から第４の発明において、取付固定バンドの外周部には、軸方向に略平行に溝部を一箇所以上設け、受け具には溝部に嵌着する第２のリブを設けたことにより、取付固定バンドを受け具に嵌着する際の案内となるので、施工性を向上する事ができる。
【００１３】
第６の発明のホース取付装置は、特に第５の発明において、溝部の肉厚はその他の部位に比べて薄肉となっていることにより、取付固定バンドの外周の一部が薄肉とすることで薄肉部分の柔軟性が増し、取付固定バンドの開閉が容易になるので、施工性を向上する事ができる。
【００１４】
以下、本発明の実施例について、図を参照にしながら説明する。なお、この実施の形態によって本発明が限定されるものではない。
【００１５】
（実施の形態１）
図１は本発明の第１の実施の形態によるホースの取付装置を装着した分離型空気調和機の構成図である。
【００１６】
図１において、分離型空気調和機の室内ユニットは室内ユニット本体１と冷媒用配管４と換気用ホース２とドレン排水用ホース３から構成されている。
【００１７】
室内空気を屋外に排出する換気の排出口である換気ダクトは図２の様に室内ユニット側面の近傍、且つ室内本体出口１ａと重なる様に配置され、換気ダクト口７には、分離型空気調和機の室内ユニットに取り付ける取付固定バンド５と受け具６が設けられている。
【００１８】
また、図３に示すように取付固定バンド５は略Ｃ形状であり、開口端部が閉時には略円筒状をなしている。そして、取付固定バンド５の円筒端部にはフランジ部５ｅを有しており、フランジ部２ｅでホース２を保持している。
【００１９】
さらに、取付固定バンド５の略Ｃ形状の開口端部のそれぞれにはネジ穴を設けたネジ用
フランジ部５ｃを設けており、略Ｃ形状の開口端部が相互に係合した際に、それぞれに設けたネジ用フランジ部５ｃのネジ穴が互いに重なりあうようになっている。このように開口端部が閉時には、ネジ穴が互いに重なることによって、容易にネジを貫通させることができ、施工性を向上させる。
【００２０】
そして取付固定バンド５の内周あるいは外周に第１の仮止め部５ａと、第１の仮止め部５ａに係合する第２の仮止め部５ａ’とを設け、第１の仮止め部５ａと第２の仮止め部５ａ’を相互に係合した際に、フランジ部５ｅがホースの外周に嵌合する。その結果、取付固定バンド５をホース２に簡単に仮止めでき、さらにホース２に仮止めした取付固定バンド５を受け具６に接続することができるので、施工性を向上する事ができる。
【００２１】
また、取付固定バンド５には、受け具６に挿入する事で固定できる２つのフック５ｂ、誤挿入を防ぐ溝部５ｄを設けている。取付固定バンド５の外周部に設けた単数または複数のフック５ｂを設け、受け具６にはフック５ｂが係合するフック受け部６ｂを設けており、ホース２に固定した取付固定バンド５をワンタッチで受け具６に挿入して接続することができるので、取付位置の明確化と施工性を向上する事ができる。
【００２２】
一方、受け具６には、第１のリブ６ａと第２のリブ６ｃを設け、第１のリブ６ａは取付固定バンド５をその外周から押さえ、仮固定した取付固定バンド５が開いてしまわないように設けられている。
【００２３】
また、第２のリブ６ｃは取付固定バンド５に設けた溝部５ｄと嵌着し、円周方向の位置決めをすることで、取付位置の明確化と誤接続を防ぐことができる。
【００２４】
また、取付固定バンドの溝部５ｄは受け具の第２のリブ６ｃと勘着して円周方向の位置を決定できる様に構成されている。そして、溝部５ｄの肉厚がその他の部位に比べて薄肉となっており、取付固定バンド５の外周の一部を薄肉とすることで、薄肉部分の柔軟性が増し、取付固定バンド５の開閉が容易になるので、施工性を向上する事ができる。
【産業上の利用可能性】
【００２５】
以上のように、本発明にかかるホースの取付装置は、空気調和機の室内ユニットから室内空気を屋外に排出するホース配管を簡単にジョイント工事することができ、補強及び移設等でフックが故障した際にも安心して施工ができるので、ドレーン水用のホース等にも適用できる。
【図面の簡単な説明】
【００２６】
【図１】本発明の換気機能付き空気調和機の構成図
【図２】本発明の室内ユニット背面及び側面図
【図３】本発明の取付固定バンドの三面図
【図４】本発明の取付固定バンドの斜視図
【図５】本発明の受け具の三面図
【図６】本発明の受け具の斜視図
【図７】本発明の取付固定バンドと受け具の構成図（１）
【図８】本発明の取付固定バンドと受け具の構成図（２）
【図９】本発明の取付固定バンド仮止め構成図
【図１０】本発明の取付固定バンドと受け具のネジ止め構成図
【図１１】従来の室内ユニット背面構成図
【図１２】従来の室内ユニットのホース取付部を示す図
【符号の説明】
【００２７】
１  室内ユニット
２  換気ホース
３  ドレンホース
４  冷媒配管
５  取付固定バンド
５ａ  第１の仮止め部
５ａ’  第２の仮止め部
５ｂ  フック
５ｃ  ネジ用フランジ部
５ｄ  溝部
５ｅ  フランジ部
６  受け具
６ａ  第１のリブ
６ｂ  フック受け部
６ｃ  第２のリブ
７  換気ダクト口
【図１】
0004507568.tif 000002
【図２】
0004507568.tif 000003
【図３】
0004507568.tif 000004
【図４】
0004507568.tif 000005
【図５】
0004507568.tif 000006
【図６】
0004507568.tif 000007
【図７】
0004507568.tif 000008
【図８】
0004507568.tif 000009
【図９】
0004507568.tif 000010
【図１０】
0004507568.tif 000011
【図１１】
0004507568.tif 000012
【図１２】
0004507568.tif 000013